(57)【要約】【課題】巻取軸によりスクリーンにスラットが重ねて巻き取られるスクリーン装置において、巻取軸の巻き戻し回転時における該巻取軸の過回転を抑制する機構を備える。【解決手段】巻取軸の巻き戻し回転によりスクリーン１１の下端のボトムバー２４がスクリーン枠の下端に達した後に、巻き戻し回転する巻取軸へのスラット操作部材１２の逆巻きによりスラット１３の開回転が開始するブラインド機能付きスクリーン装置において、スクリーン枠の側枠１８の第２のボトムバー２５のガイド部片２５ｂの通溝１８ｂに、スラット操作部材１２の上記逆巻きで、第２のボトムバー２５の上動がスラットの開回転の上限に達したときに上記ガイド部片２５ｂに係止して、それ以上の第２のボトムバーの上動を抑止するストッパ部片２７の係止部３０を配設し、上記以外のボトムバーの昇降段階では、上記係止部３０の係止を不作動化する機構を付設する。【選択図】図４
2018096041.tif 000002
【特許請求の範囲】
【請求項１】
スクリーン枠の上部の巻取りボックス内に回転自在に支持させた巻取軸に上端を取り付けて巻き取られるネット状のスクリーンと、該スクリーンに対し上下方向に等間隔で一端を起倒自在に取り付けられた多数の調光用或いは遮光用のスラットと、上端が上記巻取軸に取り付けられ、上記スラットの他端側がそのスクリーン側と同じ等間隔で連結されて、上記スクリーンに対する相対的な昇降により該スラットの傾斜角度を調整するスラット操作部材とにより構成されるスクリーンユニットを備え、
上記スクリーンユニットは、上記巻取軸に対して、最内層に上記スラット操作部材を、その外側に上記スラット及び上記スクリーンを順次重ねて巻き取られ、その巻取軸から導出した上記スクリーンの左右側端を、スクリーン枠の側枠内のガイドレールに摺動自在にガイドさせると共に、上記スクリーン及びスラット操作部材の下端にそれぞれ第１及び第２のボトムバーを設けて、それらのボトムバーの各両端に付したガイド部片を上記側枠の長手方向に沿って設けた通溝にガイドさせ、
上記スクリーン及びスラット操作部材は、巻取軸の巻き戻し回転により、スクリーンの下端の第１のボトムバーがスクリーン枠の下端に達した後に、上記巻き戻し回転する巻取軸へのスラット操作部材の逆巻きによる第２のボトムバーの上動が開始するように、上記巻取軸に対して取り付けられており、
上記スクリーン枠の側枠の上記通溝には、上記巻取軸の巻き戻し回転によるスラット操作部材の上記逆巻きで、第２のボトムバーの上動がスラットの開回転の上限に達したときに第２のボトムバーのガイド部片に係止して、それ以上の第２のボトムバーの上動を抑止するストッパ部片の係止部を配設し、
上記ストッパ部片と上記第１のボトムバーのガイド部片との間には、上記以外のスクリーンユニットの昇降段階で、第２のボトムバーに対するストッパ部片の係止部の係止を不作動化する機構を付設している、
ことを特徴とするブラインド機能付きスクリーン装置。
【請求項２】
上記不作動化する機構が、上記巻取軸の巻き戻し回転並びに巻き取り回転による第１及び第２のボトムバーの同時下降時並びに同時上動時に、上記第１のボトムバーのガイド部片により、上記側枠の通溝における第２のボトムバーのガイド部片の移動路に位置する上記ストッパ部片の係止部を該移動路外に一時的に排除して、第２のボトムバーのガイド部片に対する該係止部の係止を不作動化する機構である、
ことを特徴とする請求項１に記載のブラインド機能付きスクリーン装置。
【請求項３】
上記スクリーン枠の側枠内に設けたストッパ部片に、該側枠の通溝内における第１のボトムバーのガイド部片が通過する移動路に突出する出没操作部と、該通溝内における第２のボトムバーのガイド部片が通過する移動路に突出する係止部とを設けて、該ストッパ部片のバネ付勢により、それらの出没操作部及び係止部を側枠の通溝の底孔を通してそれぞれの上記移動路に突出させ、
上記第１のボトムバーのガイド部片とその移動路に突出する上記出没操作部とにより、該移動路を第１のボトムバーのガイド部片が通過するときに、該ガイド部片により、ストッパ部片に対する上記バネ付勢に抗して上記出没操作部を押圧して、第２のボトムバーのガイド部片の移動路に突出するストッパ部片の係止部を、それに第２のボトムバーのガイド部片が係止しない程度に側枠内に没入させるところの、第２のボトムバーのガイド部片に対する係止部の係止を不作動化する機構を構成させている、
ことを特徴とする請求項２に記載のブラインド機能付きスクリーン装置。
【発明の詳細な説明】
【技術分野】
【０００１】
本発明は、建物開口部等に設置して、防虫、通風、日除け、目隠し等を行うためのブラインド機能付きスクリーン装置に関するものである。
【背景技術】
【０００２】
例えば、特許文献１等に開示されているように（添付の図６及び図７参照）、上部の巻取軸１１２により重ねて巻き取られる第１のスクリーン１１６と第２のスクリーン１１７との間に、多数の調光用或いは遮光用のスラット１１８の両端を、それぞれのスクリーンに対して等間隔で起倒自在に取り付けてなるスクリーンユニット１１５を備え、上記スラットを両スクリーンと共に重ねて巻取軸に巻き取るようにしたブラインド機能付き網戸において、上記両スクリーンの下端に個別的に取り付けたボトムバー１２６，１２７のいずれかが、上記スラットの傾斜姿勢に拘わらず常にスクリーン枠の下枠に対して安定的に当接して、その姿勢が風等で不安定になったり、上記下枠との間に隙間が生じて外観が損なわれたり、また、該隙間が虫の進入路になったりするのを抑止できるようにしたブラインド機能付きスクリーン装置は、既に知られている。
【０００３】
この種のスクリーン装置においては、通常、上記巻取軸の軸端等に該巻取軸を回転させて第１及び第２のスクリーンの巻き取り・巻き戻し回転を行うための開閉操作具１１４を備え、その巻き戻し回転により第１及び第２のスクリーンを下降させて、第１のスクリーン１１６の下端に取り付けた第１のボトムバー１２６がスクリーン枠の下枠に当接した後に、更なる巻取軸の回転の継続により第２のスクリーン１２７が巻取軸に対して逆巻きの状態になるようにし、それによって、第２のスクリーンを第１のスクリーンに対して上動させ、その上動の程度により、上記各スラット１１８に第２のスクリーン側において上下動する適宜傾斜姿勢を取らせるように構成し、スクリーンの開閉及びスラットの傾斜姿勢の調整のための機構を単純化している。
【０００４】
しかしながら、上記開閉操作具１１４による巻取軸の巻き戻し回転時に該巻取軸に限度以上の過回転があると、第１のスクリーン１１６の下端の第１のボトムバー１２６がスクリーン枠の下枠に当接後に該下枠から離間することになり、第１のボトムバーとスクリーン枠の下枠との間に虫が侵入する隙間が生じるだけでなく、スラット１１８で連結している第１及び第２のスクリーン１１６，１１７間に過大な力が作用して破損の原因になるなど、不測の事態が生じる可能性があり、そのため当該特許文献１における図１５及び図１６（添付の図７及び図６参照）等に示されているように、該開閉操作具１１４の一部に上記過回転による破損等が生じない状態で巻取軸の回転を停止させるストッパ１４０を設けているが、このストッパでは、それ自体に不測の外力が作用して破損することがないように配慮する必要があるだけでなく、開閉操作具における該ストッパの位置が安定しているとも言えない。
【先行技術文献】
【特許文献】
【０００５】
【特許文献１】国際公開ＷＯ２０１４／１１５６８４号公報
【発明の概要】
【発明が解決しようとする課題】
【０００６】
本発明の技術的課題は、巻取軸により重ねて巻き取られる上記スクリーンユニットを備えたブラインド機能付きスクリーン装置において、巻取軸のみの回転操作により、上記スラットを所要の範囲内で開閉動作させることができ、しかも、巻取軸の過回転を確実に抑制できるようにするための構成を提供することにある。
【課題を解決するための手段】
【０００７】
上記課題を解決するため、本発明によれば、スクリーン枠の上部の巻取りボックス内に回転自在に支持させた巻取軸に上端を取り付けて巻き取られるネット状のスクリーンと、該スクリーンに対し上下方向に等間隔で一端を起倒自在に取り付けられた多数の調光用或いは遮光用のスラットと、上端が上記巻取軸に取り付けられ、上記スラットの他端側がそのスクリーン側と同じ等間隔で連結されて、上記スクリーンに対する相対的な昇降により該スラットの傾斜角度を調整するスラット操作部材とにより構成されるスクリーンユニットを備え、上記スクリーンユニットは、上記巻取軸に対して、最内層に上記スラット操作部材を、その外側に上記スラット及び上記スクリーンを順次重ねて巻き取られ、その巻取軸から導出した上記スクリーンの左右側端を、スクリーン枠の側枠内のガイドレールに摺動自在にガイドさせると共に、上記スクリーン及びスラット操作部材の下端にそれぞれ第１及び第２のボトムバーを設けて、それらのボトムバーの各両端に付したガイド部片を上記側枠の長手方向に沿って設けた通溝にガイドさせ、上記スクリーン及びスラット操作部材は、巻取軸の巻き戻し回転により、スクリーンの下端の第１のボトムバーがスクリーン枠の下端に達した後に、上記巻き戻し回転する巻取軸へのスラット操作部材の逆巻きによる第２のボトムバーの上動が開始するように、上記巻取軸に対して取り付けられており、上記スクリーン枠の側枠の上記通溝には、上記巻取軸の巻き戻し回転によるスラット操作部材の上記逆巻きで、第２のボトムバーの上動がスラットの開回転の上限に達したときに第２のボトムバーのガイド部片に係止して、それ以上の第２のボトムバーの上動を抑止するストッパ部片の係止部を配設し、上記ストッパ部片と上記第１のボトムバーのガイド部片との間には、上記以外のスクリーンユニットの昇降段階で、第２のボトムバーに対するストッパ部片の係止部の係止を不作動化する機構を付設していることを特徴とするブラインド機能付きスクリーン装置が提供される。
【０００８】
本発明に係るブラインド機能付きスクリーン装置の好ましい実施形態においては、上記不作動化する機構が、上記巻取軸の巻き戻し回転並びに巻き取り回転による第１及び第２のボトムバーの同時下降時並びに同時上動時に、上記第１のボトムバーのガイド部片により、上記側枠の通溝における第２のボトムバーのガイド部片の移動路に位置する上記ストッパ部片の係止部を該移動路外に一時的に排除して、第２のボトムバーのガイド部片に対する該係止部の係止を不作動化する機構として構成される。
【０００９】
また、本発明に係るブラインド機能付きスクリーン装置の他の好ましい実施形態においては、上記スクリーン枠の側枠内に設けたストッパ部片に、該側枠の通溝内における第１のボトムバーのガイド部片が通過する移動路に突出する出没操作部と、該通溝内における第２のボトムバーのガイド部片が通過する移動路に突出する係止部とを設けて、該ストッパ部片のバネ付勢により、それらの出没操作部及び係止部を側枠の通溝の底孔を通してそれぞれの上記移動路に突出させ、上記第１のボトムバーのガイド部片とその移動路に突出する上記出没操作部とにより、該移動路を第１のボトムバーのガイド部片が通過するときに、該ガイド部片により、ストッパ部片に対する上記バネ付勢に抗して上記出没操作部を押圧して、第２のボトムバーのガイド部片の移動路に突出するストッパ部片の係止部を、それに第２のボトムバーのガイド部片が係止しない程度に側枠内に没入させるところの、第２のボトムバーのガイド部片に対する係止部の係止を不作動化する機構を構成させることができる。
【発明の効果】
【００１０】
以上に詳述した本発明のブラインド機能付きスクリーン装置によれば、巻取軸により重ねて巻き取られるスクリーンユニットを備えたブラインド機能付きスクリーン装置において、巻取軸のみの回転操作により、上記スラットを所要の範囲内で開閉動作させることができ、しかも、巻取軸の過回転を確実に抑制できるようにするための構成を得ることができる。
【図面の簡単な説明】
【００１１】
【図１】本発明に係るブラインド機能付きスクリーン装置の実施例の全体的構成を示す側断面図である。
【図２】本発明の実施例の動作状態を示すもので、（ａ）はスラットの開状態を示す模式的斜視図、（ｂ）はスラットの閉状態を示す模式的斜視図である。
【図３】本発明におけるスクリーン枠とその内部に配設するストッパとの関連的構成を示す斜視図である。
【図４】上記ストッパを第１のボトムバーのガイド部によりスクリーン枠内に没入させた状態を示すもので、（ａ）はスクリーン枠の横断面図、（ｂ）はスクリーン枠の縦断面図、（ｃ）は同スラット開状態の一部破断正面図である。
【図５】上記ストッパに第１のボトムバーのガイド部が接触することなく、第２のボトムバーが該ストッパに係止してその移動が不能になっている状態を示すもので、（ａ）〜（ｃ）はそれぞれ図４の（ａ）〜（ｃ）に対応させたものである。
【図６】既知のブラインド機能付きスクリーン装置において、スラットの開放を開始する状態を模式的に示す側断面図である。
【図７】同スクリーン装置において、スラットが転向可能な限度に達した状態を模式的に示す側断面図である。
【発明を実施するための形態】
【００１２】
図１〜図５は、本発明に係るブラインド機能付きスクリーン装置の望ましい実施例を示している。図示の実施例において示しているスラット付きのスクリーンユニットは、特許文献１等において基本的構成が既知のものではあるが、ここに改めて説明すると、図１から分かるように、該スクリーンユニット１０は、防虫ネット状のスクリーン１１と、該スクリーンに対して上下方向に等間隔で一端を起倒自在に取り付けられた多数の調光用或いは遮光用の可撓性シートからなるスラット１３と、該スラットの他端側がそのスクリーン１１側と同じ等間隔で連結されたスラット操作部材１２とにより構成されたものである。
【００１３】
上記スクリーンユニット１０は、スクリーン枠１５の上部の巻取りボックス１６内に回転自在に支持させた巻取軸１７に、スクリーン１１及びスラット操作部材１２の上端がそれぞれ取り付けられるもので、それらは、上記巻取軸１７に対して最内層に上記スラット操作部材１２が、その外側に上記スラット１３を挟んで上記スクリーン１１が順次平面状をなすように重ねて巻き取られるものである。上記スラット１３の両端をスクリーン１１及びスラット操作部材１２のそれぞれに取り付ける取付間隔は、少なくともスラット１３の幅と同長以上であり、それにより、スラット１３が撓まない状態でスクリーン１１とスラット操作部材１２とを重ねて吊下すると、スラット１３が取り付けられている範囲内ではスクリーン１１の全面が該スラットにより覆われることになる。
【００１４】
上記スラット付きのスクリーンユニット１０におけるスラット操作部材１２は、スクリーン１１と同様な防虫ネット状のものや、スラット１３の一端に連結してその連結端を昇降させるだけの機能を有するものであってもよいが、少なくとも通風性を有する素材であることが望ましく、また、スクリーン１１及びスラット１３と共に巻取軸１７に重ねて巻くものであるから、巻取りが可能な程度の可撓性を有していることが必要である。このスラット操作部材１２は、後述するように、巻取軸１７の回転により上記スクリーン１１に対して相対的な昇降を行わせるものであり、この昇降によってスラット１３の傾斜角度が調整される。
【００１５】
一方、図４及び図５の各（ａ）に示しているように、巻取軸１７から導出した上記スクリーン１１は、その左右側端をスクリーン枠１５の側枠１８内のガイドレール２０に摺動自在にガイドさせている。このスクリーン１１の側端のガイドは、帯状の取付部片２１ｂの側端縁に多数の係合子２１ａを取り付けてなるファスナー状抜け止め片２１をスクリーン１１の側端に取り付け、その係合子２１ａをスクリーン枠１５の側枠１８内に設けたガイドレール２０の係合溝２０ａに摺動自在に嵌挿することによって行うのが望ましい。
なお、スラット操作部材１２の側端をガイドすることは、図示の実施例では特に考慮していないが、必要があればスクリーン１１と同様な構成で側枠１８に沿ってガイドさせることもできる。
【００１６】
また、上記スクリーン１１及びスラット操作部材１２の下端には、図１並びに図４及び図５の各（ｃ）に示すように、それぞれ、第１のボトムバー２４及び第２のボトムバー２５が取り付けられ、これらの各ボトムバー２４，２５の両端には、図４並びに図５の各（ａ）及び（ｂ）に示すように、それぞれ、スクリーン枠１５の側枠１８側にガイド部片２４ｂ，２５ｂを突出させたエンドキャップ２４ａ，２５ａを取り付け、それらのガイド部片２４ｂ，２５ｂを該側枠１８に設けた通溝１８ａ，１８ｂによってガイドさせている。
【００１７】
上記第１及び第２のボトムバー２４，２５が下端に取り付けられたスクリーン１１及びスラット操作部材１２は、図１から分かるように、巻取軸１７の巻き戻し回転によって第１のボトムバー２４がスクリーン枠１５の下枠１９上に達した後、その巻き戻し回転の継続により、巻取軸１７にスラット操作部材１２が逆巻きされて第２のボトムバー２５の上動が開始するように、巻取軸１７に取り付けられている。その逆巻き状態において上記スラット１３の傾斜角度の調整が行われる間、第１のボトムバー２４はスクリーン枠１５の下枠１９に接する状態に保持されて、下枠１９との間からの虫等の侵入を防止し、この間に巻取軸１７から巻き戻されるスクリーン１１の弛みは巻取りボックス１６内に保持される。なお、上記第１のボトムバー２４の下面に設けたモヘア３４は、該ボトムバー２４と下枠１９との間の隙間を確実に閉じるためのものである。
【００１８】
一方、上記第２のボトムバー２５は、上記スラット操作部材１２の逆巻きによるスラット１３の傾斜角度の調整に応じてスラット操作部材１２に吊下された状態で昇降することにより、スラット操作部材１２を緊張状態に保持するので、傾斜したスラット１３の姿勢を安定させることができる。
【００１９】
上記構成を有するスクリーン装置は、スクリーンユニット１０を前述したように巻取軸１７に巻き取った状態から、図２の（ａ）（ｂ）に示すように巻取りボックス１６から導出した操作線条２２の操作により、巻取りボックス１６内において巻取軸１７の軸線上に配設したスプロケットを介して該巻取軸１７を回転させ、スクリーンユニット１０の巻取り状態にある巻取軸１７を巻き戻し回転させると、図２の（ｂ）に示すように、スラット１３の全体が閉状態のままでスクリーンユニット１０が繰り出され、スクリーン１１の下端のボトムバー２４がスクリーン枠１５の下枠に接するまで下降した後に、巻取軸１７に対するスラット操作部材１２の逆巻きで第２のボトムバー２５が図２の（ａ）に示すように上動し、それによりスラット１３を所望の開度に開放させることができる。
【００２０】
上記スクリーン枠１５の側枠１８における上記通溝１８ａ，１８ｂの内側には、図３〜図５によって以下に詳述するようなストッパ部片２７を設けている。このストッパ部片２７は、上記巻取軸１７の巻き戻し回転によるスラット操作部材１２の上記逆巻きで、第２のボトムバー２５の上動がスラット１３の開回転の上限に達したときに、該ストッパ部片２７が第２のボトムバー２５のガイド部片２５ｂに係止して、それ以上の第２のボトムバー２５の上動を抑止するために設けたものである。但し、上記ストッパ部片２７により第２のボトムバー２５の上動を停止させる必要があるのは、巻取軸１７の巻き戻し回転によるスラット操作部材１２の上記逆巻きで、スラット１３の開回転の上限に達したときのみであるため、ストッパ部片２７と第１のボトムバー２４のガイド部片２４ｂとの間には、それ以外のスクリーンユニット１０の昇降段階で、第２のボトムバー２５に対するストッパ部片２７の係止を不作動化するところの次のような機構を付設している。
【００２１】
まず、上記側枠１８内に設けたストッパ部片２７の構成について具体的に説明すると、該ストッパ部片２７は、側枠１８内に設けたバネ３３の付勢力で通溝２８ａ，１８ｂ側に押圧されている基板部２８上に、通溝１８ａ内における第１のボトムバー２４のガイド部片２４ｂが通過する移動路に突出する出没操作部２９と、側枠の通溝１８内における第２のボトムバー２５のガイド部片２５ｂが通過する移動路に突出するところの係止部３０とを設けている。
【００２２】
上記出没操作部２９は、上記バネ３３の付勢力により、通溝１８ａに設けた底孔３１を通して該通溝内における第１のボトムバー２４のガイド部片２４ｂの移動路に突出させたもので、中央の突出部の両側にそれぞれ押圧斜面２９ａを設け、通溝１８ａ内をいずれかの方向から第１のボトムバー２４のガイド部片２４ｂが通過するときに、該ガイド部片による上記押圧斜面２９ａの押圧により底孔３１内へ没入して、該ガイド部片の移動路から一時的に排除されるものである。一方、上記係止部３０は、通溝１８ｂに設けた底孔３２を通して該通溝内における第２のボトムバー２５のガイド部片２５ｂの移動路に突出させたもので、上記出没操作部２９が第１のボトムバー２４のガイド部片２４ｂによる押圧で底孔３１内へ没入しているときには、この係止部３０も通溝１８ｂの底孔３２内に没入して、第２のボトムバー２５のガイド部片２５ｂが通溝１８ｂ内の移動路を通過するのを妨げないが、上記係止部３０が通溝１８ｂ内の移動路に突出している状態では、第２のボトムバー２５のガイド部片２５ｂの通過を阻止し、第２のボトムバー２５をそこで停止させて、スラット操作部材１２の過剰な逆巻きを抑制するものである。
【００２３】
即ち、上記第２のボトムバー２５に対するストッパ部片２７の係止を不作動化する機構は、上記巻取軸１７の巻き戻し回転による第１及び第２のボトムバー２４，２５の同時下降時、並びに上記巻取軸１７の巻き取り回転による第１及び第２のボトムバー２４，２５の同時上動時に、上記第１のボトムバー２４のガイド部片２４ｂによって、上記側枠１８の通溝１８ｂにおける第２のボトムバー２５のガイド部片２５ｂの移動路に位置する上記ストッパ部片２７の係止部３０を、該移動路外に一時的に排除して、第２のボトムバー２５のガイド部片２５ｂに対する該係止部３０の係止を不作動化するものである。
【符号の説明】
【００２４】
１０      スクリーンユニット
１１      スクリーン
１２      スラット操作部材
１３      スラット
１５      スクリーン枠
１６      巻取りボックス
１７      巻取軸
１８      側枠
１８ａ，１８ｂ    通溝
２０      ガイドレール
２４      第１のボトムバー
２５      第２のボトムバー
２４ｂ，２５ｂ    ガイド部片
２７      ストッパ部片
３０      係止部
【図１】
2018096041.tif 000003
【図２】
2018096041.tif 000004
【図３】
2018096041.tif 000005
【図４】
2018096041.tif 000006
【図５】
2018096041.tif 000007
【図６】
2018096041.tif 000008
【図７】
2018096041.tif 000009